(57)【特許請求の範囲】
【請求項１】
互いに回線で連結された複数の空気調和装置の風量、温度及び風向きの少なくとも１つを制御するための制御装置であって、
前記複数の空気調和装置のいずれか１つに所定の風量、温度及び風向きの少なくとも１つで運転を行わせるための運転制御信号を送る運転制御部と、
前記複数の空気調和装置が１つの前記運転制御信号を受けて前記空気調和装置ごとに設定された条件で運転されるよう、前記複数の空気調和装置ごとに風量、温度及び風向きの少なくとも１つを予め設定するための運転条件設定制御部と、
を備えており、
前記運転条件設定制御部は、各空気調和装置ごとに、運転条件を予約および解除をすることが可能である、
空気調和装置の制御装置。
【請求項２】
前記運転条件設定制御部は風量、温度及び風向きの２つ以上を設定可能である、請求項１に記載の空気調和装置の制御装置。
【請求項３】
前記運転制御部及び運転条件設定制御部は前記空気調和装置のいずれか１つに回線で連結されている、請求項１または２に記載の空気調和装置の制御装置。
【請求項４】
互いに回線で連結された複数の空気調和装置と、
請求項１から３のいずれかに記載の制御装置と、
を備えた空気調和システム。
【発明の詳細な説明】
【０００１】
【発明の属する技術分野】
本発明は、空気調和装置の制御装置、特に、互いに回線で連結された複数の空気調和装置の運転条件を制御するための制御装置に関する。また、本発明は、空気調和システムに関する。
【０００２】
【従来の技術】
互いに回線で連結された複数の空気調和装置の運転動作を１つのリモコンで制御するための制御装置は、一般に、運転制御部を備えている。運転制御部は、複数の空気調和装置のいずれか１つに運転制御信号を送るためのものである。
【０００３】
この制御装置では、１つの空気調和装置に信号が送られ、この信号を受けた空気調和装置から回線を通して他の各装置にも同じ信号が送られる。これにより、複数の空気調和装置は１つの制御装置からの信号により制御される。
【０００４】
従来のこの種の制御装置は運転制御部に加えてモード設定部を備えている。モード設定部は、複数の空気調和装置を試運転モードまたは通常運転モードのいずれかに設定するためのものである。試運転モードでは、各空気調和装置に送られる信号は運転動作のオン・オフの信号のみであるため、リモコンで各空気調和装置を認識して個別に運転動作を行わせることができる。
【０００５】
【発明が解決しようとする課題】
モード設定部により通常運転モードが設定された場合は、各空気調和装置には、運転動作のオン・オフ以外に、風量や温度、また風量に関して強・中・弱といった具合に種々の運転条件の信号が送られる。このような通常運転モードでは、バランスのとれた空気調和を行うために、例えば、部屋の中心部に設置された装置には強い風量で運転させ、部屋の端にある装置には弱い風量で運転させる等して、各空気調和装置に別個独立の運転動作を行わせるのが好ましい。
【０００６】
しかし、従来の装置では、リモコンからの信号を受けた１つの空気調和装置からは同じ信号が他の空気調和装置に送られるため、全ての空気調和装置が同じ運転条件で動作してしまう。
【０００７】
本発明の目的は、複数の空気調和装置を１つの制御装置で制御する場合において、各空気調和装置を個別の運転条件で作動させることにある。
【０００８】
【課題を解決するための手段】
請求項１に記載の空気調和装置の制御装置は、互いに回線で連結された複数の空気調和装置の風量、温度及び風向きの少なくとも１つを制御するための制御装置であって、運転制御部と運転条件設定制御部とを備えている。運転制御部は、複数の空気調和装置のいずれか１つに所定の風量、温度及び風向きの少なくとも１つで運転を行わせるための運転制御信号を送るものである。運転条件設定制御部は、複数の空気調和装置が１つの運転制御信号を受けて空気調和装置ごとに設定された条件で運転されるよう、複数の空気調和装置ごとに風量、温度及び風向きの少なくとも１つを予め設定するためのものである。前記運転条件設定制御部は、各空気調和装置ごとに、運転条件を予約および解除をすることが可能である。
【０００９】
この装置では、各空気調和装置は、１つの信号を受けて空気調和装置ごとに設定された条件で運転されるよう、運転条件設定部により空気調和装置ごとに予め運転条件が設定される。これらの空気調和装置の運転動作を制御する場合は、運転制御部により、複数の空気調和装置のいずれか１つに対して所定の運転条件で運転を行わせるための運転制御信号を送る。すると、信号を受けた空気調和装置から回線を通じて他の空気調和装置にも同じ信号が送られ、各空気調和装置は装置ごとに予め設定された運転条件で運転される。
【００１０】
例えば、「風量：中」の運転制御信号が送られると、第１の空気調和装置では中程度の風量に制御される。しかし、第２の空気調和装置では、予め設定された運転条件が第１の空気調和装置と異なり、「風量：中」の信号を受けてもより強い風量で運転される。このため、同じ「風量：中」の信号を受けても、第２の空気調和装置では、第１の空気調和装置より強い風量で運転される。
【００１１】
ここでは、各空気調和装置は、同じ１つの運転制御信号を受けても、装置ごとに設定された運転条件で動作することが可能である。これにより、複数の空気調和装置を有する１つの室内においてバランスのとれた空気調和を行うことが可能となる。
【００１２】
請求項２に記載の空気調和装置の制御装置は、請求項１の制御装置において、運転条件設定制御部は風量、温度及び風向きの２つ以上を設定可能である。
この装置では、空気調和装置ごとに複数の運転条件を設定することができるため、よりバランスのとれた空気調和を行うことができる。
【００１３】
請求項３に記載の空気調和装置の制御装置は、請求項１または２の装置において、運転制御部及び運転条件設定制御部は空気調和装置のいずれか１つに回線で連結されている。
【００１４】
請求項４に記載の空気調和システムは、互いに回線で連結された複数の空気調和装置と、請求項１から３のいずれかに記載の制御装置とを備えている。
【００１５】
【発明の実施の形態】
図１に、本発明の一実施形態による制御装置１が採用された空調システムの概略構成を示す。
【００１６】
このシステムに設けられた制御装置１は、互いに回線３で連結された複数の空気清浄機５の風量（回転数）を制御するための装置であって、１台の空気清浄機５（図１の左端の空気清浄機５）に回線３を介して連結されている。この制御装置１は、図２に示すように、各種設定操作ボタン２１，２３，２５，２７が配置された操作部１１と、表示部１３とを備えている。
【００１７】
操作部１１は、運転制御ボタン１９と、点検／試運転ボタン２１と、温度調節ボタン２３と、タイマ時間ボタン２５と、予約／解除ボタン２７とを有している。
【００１８】
運転／停止ボタン１９は、空気清浄機５に運転または運転停止を指示するためのボタンである。
点検／試運転ボタン２１は、通常の運転動作が行われる通常モードと、運転条件の設定操作を行うための現地設定モードとを切り替えるためのものである。点検／試運転ボタン２１を押すことにより通常モードから現地設定モードに切り替えられると、表示部１３に現在のモードが現地設定モードであることが表示され、また、温度調節ボタン２３、タイマ時間ボタン２５及び予約／解除ボタン２７は、その機能が通常モード時と異なるよう切り替えられる。
【００１９】
温度調節ボタン２３は、現地設定モードでは、空気清浄機５の番号を選択するために用いられ、上ボタン２３ａと下ボタン２３ｂとを有している。空気清浄機５の番号は、上ボタン２３ａを押すごとに１つ前の空気清浄機５の番号に切り替わり、下ボタン２３ｂを押すごとに次の空気清浄機５の番号に切り替わる。
【００２０】
タイマ時間ボタン２５は、上ボタン２５ａと下ボタン２５ｂとをさらに有している。上ボタン２５ａは、現地設定モードでは、風量の強・中・弱のいずれかを選択するために用いられ、上ボタン２５ａを押すごとに、強、中、弱の順に切り替えられる。下ボタン２５ｂは、現地設定モードでは、回転数を６００回転、８００回転、１０００回転のうちのいずれかを選択するために用いられ、下ボタン２５ｂを押すごとに、６００回転、８００回転、１０００回転の順に切り替えられる。これにより、例えば、第１の空気清浄機５に対し上ボタン２５ａにより「風量：強」を選択した状態で下ボタン２５ｂにより６００回転を選択するとともに第２の空気清浄機５に対しては同じく「風量：強」を選択した状態で８００回転を選択した場合、制御装置１から「風量：強」の信号が送られると、第１の空気清浄機５は６００回転で作動し、第２の空気清浄機５は８００回転で作動することとなる。
【００２１】
予約／解除ボタン２７は、現地設定モードでは、タイマ時間ボタン２５で設定した設定内容を確定するために用いられる。
表示部１３は、番号表示灯３１とモード表示灯３３とを有している。
【００２２】
番号表示灯３１は、現地設定モード時に、運転条件を設定する対象となる空気清浄機５の番号を表示する。
モード表示灯３３は、現地モード時に現在のモードが現地設定モードであることを表示するためのランプであり、通常モードで点検／試運転ボタン２１を押すことにより点灯する。
【００２３】
この制御装置１では、操作部１５の各種操作ボタン２１，２３，２５，２７により空気清浄機５ごとに風量を設定することができる。図３はそのフローチャートである。
【００２４】
ステップＳ１において、通常モード時に点検／試運転モードボタン２１を４秒以上押し続けると、ステップＳ２に移行して現地設定モードに入る。次に、ステップＳ３において温度調節ボタン２３を押すとステップＳ４に移行し、設定する対象となる空気清浄機５の番号を選択する。
【００２５】
そして、ステップＳ５において、タイマ時間ボタン２５の上ボタン２５ａを押すとステップＳ６に移行し、強・中・弱のいずれの風量に対し回転数を決定するのかを選択する。次に、ステップＳ７において下ボタン２５ｂを押すとステップＳ８に移行し、所望の回転数を選択することにより、ステップＳ６で選択された風量に対し３種類の回転数のうちいずれか１つを割り当てる。そして、ステップＳ９において、予約／解除ボタン２７を押すとステップＳ６，８で設定した運転条件が確定され、ステップＳ１０に移行する。ここで、風量を設定し直しまたは設定内容を確認したい場合等は、予約／解除ボタン２７を押さないことによりステップＳ５に戻り、風量を設定し直しまたは設定内容を確認等することができる。
【００２６】
ステップＳ１０では、設定作業が終了した否かが判断され、点検／試運転ボタン２１が押された場合は、設定作業は終了したと判断され、現地設定モードから通常モードに戻る。一方、他の空気清浄機５に対して選択したい場合等、まだ設定作業が終了していない場合は、点検／試運転ボタン２１を押さないことによりステップ３に戻り、空気清浄機５、風量及び温度の選択を行うことができる。
【００２７】
このように設定作業を行った後、制御装置１から、１つの空気清浄機５に「風量：強」を指示する信号が空気清浄機５に送られると、他の空気清浄機５にも「風量：強」を指示する信号が送られる。すると、各空気清浄機５は、前記ステップＳ８で設定された回転数にしたがって作動する。例えば、同じ「風量：強」の信号を受けて、ある空気清浄機５は６００回転、他の空気清浄機５は８００回転というように空気清浄機５ごとに設定された回転数で作動する。すなわち、各空気清浄機５は、制御装置１からの１つの信号を受けて空気清浄機５ごとに設定された運転条件で動作することが可能となる。これにより、複数の空気清浄機５が設置された室内でバランスのとれた空気調和を行うことが可能となる。
【００２８】
［他の実施形態］
（ａ）制御装置１は、空気清浄機５のみに用いられるものではなく、空気調和機等の他の空気調和装置にも用いることができる。
【００２９】
（ｂ）前記実施形態では、風量のみを設定したが、他に温度、風向き等を設定するようにしてもよい。
（ｃ）本発明では、空気清浄機５の運転中に停電が発生して運転停止した後に運転が再開された場合に、各空気清浄機５に対し、停電が発生した時の設定で作動するように設定することもできる（停電自動復帰設定）。この場合、風量と同等の制御要素としてこの設定要素を含め、さらに、この設定要素に対し、停電発生時の設定に復帰するかあるいは初期設定に復帰するかの選択を行わせるようにすることとなる。
【００３０】
【発明の効果】
本発明によれば、複数の空気調和装置は１つの運転制御信号を受けて装置ごとに設定された運転条件で動作することが可能であるため、バランスのとれた空気調和を行うことができる。
【図面の簡単な説明】
【図１】本発明の一実施形態が採用された制御装置と空気清浄機とを示す概略図。
【図２】前記制御装置が配置されるリモコンの正面図。
【図３】前記制御装置の設定制御フローチャート
【符号の説明】
１  制御装置
３  回線
５  空気清浄機
７  運転制御部
９  設定制御部
【図１】
0004042315.tif 000002
【図２】
0004042315.tif 000003
【図３】
0004042315.tif 000004